(57)【特許請求の範囲】
【請求項１】
ステー挿入用の筒部を備えたヘッドレストサポートと、このヘッドレストサポートの上面に設けたステー挿入用の孔を備えたフランジ部と、このフランジ部に被嵌され、かつステー挿入用の孔を備えたカバーとで構成したヘッドレストステーの支持構造であって、
前記フランジ部と、カバーとで構成したチャンバーに、前記ヘッドレストステーに設けた切欠き部に係止される係合片を、旋回可能に収容するとともに、この係合片の旋回復帰を司る弾性体を収容し、また、このチャンバー内に、前記係合片の旋回動作を担持する操作ボタンを収容する構成のヘッドレストステーの支持構造において、
前記係合片の内周面側を、前記フランジ部の上面に立設したガイド突条に添接し、かつこの係合片の長手方向の基端側に係止する突起を、このフランジ部か、又は前記カバーに突設し、また、この係合片の長手方向の外周面側に前記弾性体の自由端側を係止、かつ添接し、さらに前記ガイド突条に、前記操作ボタンを添接移動可能に設ける構成としたヘッドレストステーの支持構造。
【請求項２】
請求項１に記載のヘッドレストステーの支持構造であって、
前記係合片において、その長手方向の自由端側と、前記操作ボタンの長手方向の自由端側とを係止関係に維持する構成としたヘッドレストステーの支持構造。
【請求項３】
請求項１に記載のヘッドレストステーの支持構造であって、
前記操作ボタンのボタン部を、カバーに開設した楕円孔に挿入し、この操作ボタンが、この楕円孔に沿って移動する構成としたヘッドレストステーの支持構造。
【請求項４】
請求項１に記載のヘッドレストステーの支持構造であって、
前記操作ボタンは、カバーで兼用する構造とし、このカバーの天板内面側に突設した凸部で、前記係合片を操作する構成としたヘッドレストステーの支持構造。
【請求項５】
請求項１に記載のヘッドレストステーの支持構造であって、
前記弾性体の基端側を、前記ヘッドレストサポートのフランジ部か、又はカバーに係止し、また、その自由端側を、係合片に係止する構成としたヘッドレストステーの支持構造。
【請求項６】
ステー挿入用の筒部を備えたヘッドレストサポートと、このヘッドレストサポートの上面に設けたステー挿入用の孔を備えたカバーとで構成したヘッドレストステーの支持構造であって、
前記カバーの孔には、前記ステー挿入用の筒部を備えたヘッドレストサポートの長手方向に延設した鞘管を設け、この鞘管を、前記ステーに嵌合、又は遊嵌し、この鞘管とこのステーとのロックオンを、前記カバーの押圧で行うとともに、この鞘管とこのステーとのロックオフを、前記カバーの押圧解除で行う構造とし、このカバーを復帰する弾性体を、この鞘管とこのカバーとの間に介在する構成としたヘッドレストステーの支持構造。
【請求項７】
請求項６に記載のヘッドレストステーの支持構造であって、
前記ステーに、係止用の凹凸、梨子地、又はスリットの滑落防止手段を設ける構成としたヘッドレストステーの支持構造。
【請求項８】
請求項６に記載のヘッドレストステーの支持構造であって、
前記鞘管の周面壁に、複数のスリットを設ける構成としたヘッドレストステーの支持構造。
【発明の詳細な説明】
【技術分野】
【０００１】
本発明は、ヘッドレストステーの支持構造に関する。
【背景技術】
【０００２】
従来、ヘッドレストステーの支持構造は、ヘッドレストサポートの頭部より、延設した庇形のフランジ部に、抜差し自在に設けた操作ボタンと、この操作ボタンに設けた係合片とで構成し、この操作ボタンの抜差しで、この係合片の内周面側を、ステーの切欠き部に係合、又は切欠き部より離間する構造である。この構造は、長年の使用で、慣習化されていること、使い勝手がよいこと、等の特徴がある。しかし、［イ］  シートの表皮に添接、又は窪んだ状態で設置されているので、とっさの操作にまごつくこと、又は操作ボタンの操作に経験を要すること、等の改良点も挙げられる。また、［ロ］  この操作ボタンは、ヘッドレストサポートの頭部より、延設した庇形のフランジ部に、載架支持する構造である。従って、ヘッドレストサポートの頭部が大きくなることで、例えば、体裁が悪いこと、コストが上昇すること、材料の使用が増加すること、又は表皮との連繋に問題があり、このヘッドレストサポートの安定性が確保されないこと、等の改良点があった。
【０００３】
上記に鑑み、本発明は、［ハ］  ヘッドレストサポートの頭部を有効活用し、従来の庇形のフランジ部を省略すること、また、体裁を良くすること、コストの低廉化と、材料の節約化を図ること、又は表皮との連繋を図り、このヘッドレストサポートの安定性を確保すること、等を意図する。そして、この意図に即した先行文献を挙げると、以下の文献（１）〜（４）が挙げられる。
【０００４】
文献（１）は、実開昭６１−７３４６号の「シート用ヘッドレストステイの保持構造」である。この考案は、ステー挿入用の筒部と、孔を備えたヘッドレストサポートのケーシング（頭部）に空洞（チャンバー）を設け、このチャンバーにロックプレートを旋回可能に収容し、このロックプレート（係合片）の内周面側で、ステーの切欠き部に係止、又は離脱可能とする構造であり、このロックプレートを、空洞に設けたスプリングで、復帰可能とする構造である。従って、［イ］の改良点は解消できるが、しかし、操作ボタンを、ケートングのフランジ部に設ける構造を採用することで、［ロ］を改良するまでには到っていないこと、また、本発明が意図する［ハ］を達成できないこと、等の問題を抱えている。
【０００５】
文献（２）は、実開昭５８−１４７５６号の「ヘッドレストの取付装置」である。この考案は、支持棒（ステー）挿入用の筒部と、孔を備えた保持体（ヘッドレストサポート）の円板（頭部）に、カバーを被嵌することで、空洞（チャンバー）を形成し、この空洞に切欠き部を備えた拡大筒部を設けるとともに、この拡大筒部の切欠き部に、係合体を旋回可能に収容し、この係合体（係合片）の内周面側で、ステーの外周面に圧接係止、又は離脱可能とする構造であり、この係合体を、空洞に設けたスプリングで、復帰可能とする構造である。従って、［ロ］の改良点は解消できるが、しかし、拡大筒部の切欠き部に、係合体を旋回可能に収容する構造を採用することで、［イ］を改良するまでには到っていないこと、また、本発明が意図する［ハ］を達成できないこと、等の問題を抱えている。
【０００６】
文献（３）は、実開昭６０−１１５０４７号の「ヘッドレストの高さ調節装置」である。この考案は、ステー挿入用の筒部と、孔を備えたヘッドレストサポートのホルダー（頭部）に空洞部（チャンバー）を設け、この空洞部に係合板（係合片）を旋回可能に収容し、この係合板の旋回を操作ノブで操作し、また、この係合板の外周面側で、ステーの切欠き部に係止、又は離脱可能とする構造であり、この係合板と操作ノブを、空洞部に設けたスプリングで、復帰可能とする構造である。従って、［イ］の改良点は解消できるが、しかし、操作ノブと係合板の組合せ構造であり、［ロ］を改良するまでには到っていないこと、また、本発明が意図する［ハ］を達成できないこと、等の問題を抱えている。
【０００７】
文献（４）は、実開昭６０−１７８４４７号の「ヘッドレストの上下調整装置」である。この考案は、ステー挿入用の筒部と、孔を備えたヘッドレストサポートのケーシング（頭部）にロックカムと、このロックカムに係合するロック解除プレートと、このロック解除プレートに設けたボタン、並びにロックバネとで構成し、このケーシングに被嵌されるカバーで構成し、ロック解除プレートを、ボタン、並びにロックバネの解除で、復帰可能とする構造である。従って、［イ］の改良点は解消できるが、しかし、ロックカムとロック解除プレートの組合せ構造であり、［ロ］を改良するまでには到っていないこと、また、本発明が意図する［ハ］を達成できないこと、等の問題を抱えている。
【０００８】
【特許文献１】実開昭６１−７３４６号
【特許文献２】実開昭５８−１４７５６号
【特許文献３】実開昭６０−１１５０４７号
【特許文献４】実開昭６０−１７８４４７号
【発明の概要】
【発明が解決しようとする課題】
【０００９】
前述した文献（１）〜（４）においては、それぞれ改良点があり、ヘッドレストサポートの支持構造としては、十分でないと考えられる。殊に、昨今、要望される前記［ハ］  ヘッドレストサポートの頭部を有効活用し、従来の庇形のフランジ部を省略すること、また、体裁を良くすること、コストの低廉化と、材料の節約化を図ること、又は表皮との連繋を図り、このヘッドレストサポートの安定性を確保すること、等を達成するには、更なる改良が要望されるのが現況である。
【課題を解決するための手段】
【００１０】
請求項１の発明は、前記［ハ］  ヘッドレストサポートの頭部を有効活用し、従来の庇形のフランジ部を省略すること、また、体裁を良くすること、コストの低廉化と、材料の節約化を図ること、又は表皮との連繋を図り、このヘッドレストサポートの安定性を確保すること、［ニ］  ヘッドレストサポート、及び／又は、操作ボタンの操作の容易性と、この容易性を利用し、ヘッドレストの昇降の容易化を図ること、［ホ］  係合片の構造を提供すること、等を意図する。
【００１１】
請求項１は、ステー挿入用の筒部を備えたヘッドレストサポートと、このヘッドレストサポートの上面に設けたステー挿入用の孔を備えたフランジ部と、このフランジ部に被嵌され、かつステー挿入用の孔を備えたカバーとで構成したヘッドレストステーの支持構造であって、
前記フランジ部と、カバーとで構成したチャンバーに、前記ヘッドレストステーに設けた切欠き部に係止される係合片を、旋回可能に収容するとともに、この係合片の旋回復帰を司る弾性体を収容し、また、このチャンバー内に、前記係合片の旋回動作を担持する操作ボタンを収容する構成のヘッドレストステーの支持構造において、
前記係合片の内周面側を、前記フランジ部の上面に立設したガイド突条に添接し、かつこの係合片の長手方向の基端側に係止する突起を、このフランジ部か、又は前記カバーに突設し、また、この係合片の長手方向の外周面側に前記弾性体の自由端側を係止、かつ添接し、さらに前記ガイド突条に、前記操作ボタンを添接移動可能に設ける構成としたヘッドレストステーの支持構造である。
【００１４】
請求項２の発明は、前記［ハ］と［ニ］の意図を達成しつつ、この意図を達成するに最適な、「ヘ」  係合片と操作ボタンの関係構造を提供することにある。
【００１５】
請求項２は、請求項１に記載のヘッドレストステーの支持構造であって、
前記係合片において、その長手方向の自由端側と、前記操作ボタンの長手方向の自由端側とを係止関係に維持する構成としたヘッドレストステーの支持構造である。
【００１６】
請求項３の発明は、前記［ハ］と［ニ］の意図を達成しつつ、この意図を達成するに最適な、［ト］  操作ボタンの構造を提供することにある。
【００１７】
請求項３は、請求項１に記載のヘッドレストステーの支持構造であって、
前記操作ボタンのボタン部を、カバーに開設した楕円孔に挿入し、この操作ボタンが、この楕円孔に沿って移動する構成としたヘッドレストステーの支持構造である。
【００１８】
請求項４の発明は、前記［ハ］と［ニ］の意図を達成しつつ、この意図を達成するに最適な、［チ］  操作ボタンの他の構造を提供することにある。
【００１９】
請求項４は、請求項１に記載のヘッドレストステーの支持構造であって、
前記操作ボタンは、カバーで兼用する構造とし、このカバーの天板内面側に突設した凸部で、前記係合片を操作する構成としたヘッドレストステーの支持構造である。
【００２０】
請求項５の発明は、前記［ハ］と［ニ］の意図を達成しつつ、この意図を達成するに最適な、［リ］  弾性体の構造を提供することにある。
【００２１】
請求項５は、請求項１に記載のヘッドレストステーの支持構造であって、
前記弾性体の基端側を、前記ヘッドレストサポートのフランジ部か、又はカバーに係止し、また、その自由端側を、係合片に係止する構成としたヘッドレストステーの支持構造である。
【００２２】
請求項６の発明は、前記［ハ］と［ニ］の意図を達成しつつ、この意図を達成するに最適な、［ヌ］  鞘管とカバーの関係構造を提供することにある。
【００２３】
ステー挿入用の筒部を備えたヘッドレストサポートと、このヘッドレストサポートの上面に設けたステー挿入用の孔を備えたカバーとで構成したヘッドレストステーの支持構造であって、
前記カバーの孔には、前記ステー挿入用の筒部を備えたヘッドレストサポートの長手方向に延設した鞘管を設け、この鞘管を、前記ステーに嵌合、又は遊嵌し、この鞘管とこのステーとのロックオンを、前記カバーの押圧で行うとともに、この鞘管とこのステーとのロックオフを、前記カバーの押圧解除で行う構造とし、このカバーを復帰する弾性体を、この鞘管とこのカバーとの間に介在する構成としたヘッドレストステーの支持構造である。
【００２４】
請求項７の発明は、前記［ハ］と［ニ］の意図を達成しつつ、この意図を達成するに最適な、［ル］  ステーの構造を提供することにある。
【００２５】
請求項７は、請求項６に記載のヘッドレストステーの支持構造であって、
前記ステーに、係止用の凹凸、梨子地、又はスリットの滑落防止手段を設ける構成としたヘッドレストステーの支持構造である。
【００２６】
請求項８の発明は、前記［ハ］と［ニ］の意図を達成しつつ、この意図を達成するに最適な、［オ］  鞘管の構造を提供することにある。
【００２７】
請求項８は、請求項６に記載のヘッドレストステーの支持構造であって、
前記鞘管の周面壁に、複数のスリットを設ける構成としたヘッドレストステーの支持構造である。
【発明の効果】
【００２８】
請求項１の発明は、ステー挿入用の筒部を備えたヘッドレストサポートと、ヘッドレストサポートの上面に設けたステー挿入用の孔を備えたフランジ部と、フランジ部に被嵌され、かつステー挿入用の孔を備えたカバーとで構成したヘッドレストステーの支持構造であって、
フランジ部と、カバーとで構成したチャンバーに、ヘッドレストステーに設けた切欠き部に係止される係合片を、旋回可能に収容するとともに、係合片の旋回復帰を司る弾性体を収容し、また、チャンバー内に、係合片の旋回動作を担持する操作ボタンを収容する構成のヘッドレストステーの支持構造において、
係合片の内周面側を、フランジ部の上面に立設したガイド突条に添接し、かつ係合片の長手方向の基端側に係止する突起を、フランジ部か、又は前記カバーに突設し、また、係合片の長手方向の外周面側に弾性体の自由端側を係止、かつ添接し、さらにガイド突条に、前記操作ボタンを添接移動可能に設ける構成としたヘッドレストステーの支持構造。
【００２９】
従って、請求項１は、前記［ハ］  ヘッドレストサポートの頭部を有効活用し、従来の庇形のフランジ部を省略すること、また、体裁が良くなること、コストの低廉化と、材料の節約化が図れること、又は表皮との連繋を図り、このヘッドレストサポートの安定性が確保できること、等の特徴を有する。また、請求項１は、［ニ］  ヘッドレストサポート、及び／又は、操作ボタンの操作の容易性と、この容易性を利用し、ヘッドレストの昇降の容易化が図れること、等の実益がある。［ホ］  係合片の構造を提供できること、等の特徴を有する。
【００３２】
請求項２の発明は、請求項１に記載のヘッドレストステーの支持構造であって、
係合片において、長手方向の自由端側と、操作ボタンの長手方向の自由端側とを係止関係に維持する構成としたヘッドレストステーの支持構造である。
【００３３】
従って、請求項２は、前記［ハ］と［ニ］の意図を達成できること、この意図を達成するに最適な、［ヘ］  係合片と操作ボタンの関係構造を提供できること、等の特徴を有する。
【００３４】
請求項３の発明は、請求項１に記載のヘッドレストステーの支持構造であって、
操作ボタンのボタン部を、カバーに開設した楕円孔に挿入し、操作ボタンが、楕円孔に沿って移動する構成としたヘッドレストステーの支持構造である。
【００３５】
従って、請求項３は、前記［ハ］と［ニ］の意図を達成できること、この意図を達成するに最適な、［ト］  操作ボタンの構造を提供できること、等の特徴を有する。
【００３６】
請求項４の発明は、請求項１に記載のヘッドレストステーの支持構造であって、
操作ボタンは、カバーで兼用する構造とし、カバーの天板内面側に突設した凸部で、係合片を操作する構成としたヘッドレストステーの支持構造である。
【００３７】
従って、請求項４は、前記［ハ］と［ニ］の意図を達成できること、この意図を達成するに最適な、［チ］  操作ボタンの他の構造を提供できること、等の特徴を有する。
【００３８】
請求項５の発明は、請求項１に記載のヘッドレストステーの支持構造であって、
弾性体の基端側を、ヘッドレストサポートのフランジ部か、又はカバーに係止し、また、自由端側を、係合片に係止する構成としたヘッドレストステーの支持構造である。
【００３９】
従って、請求項５は、前記［ハ］と［ニ］の意図を達成できること、この意図を達成するに最適な、［リ］  弾性体の構造を提供できること、等の特徴を有する。
【００４０】
請求項６は、ステー挿入用の筒部を備えたヘッドレストサポートと、ヘッドレストサポートの上面に設けたステー挿入用の孔を備えたカバーとで構成したヘッドレストステーの支持構造であって、
カバーの孔には、ステー挿入用の筒部を備えたヘッドレストサポートの長手方向に延設した鞘管を設け、鞘管を、ステーに嵌合、又は遊嵌し、鞘管とステーとのロックオンを、カバーの押圧で行うとともに、鞘管とステーとのロックオフを、カバーの押圧解除で行う構造とし、カバーを復帰する弾性体を、鞘管とカバーとの間に介在する構成としたヘッドレストステーの支持構造である。
【００４１】
従って、請求項６は、前記［ハ］と［ニ］の意図を達成できること、この意図を達成するに最適な、［ヌ］  鞘管とカバーの関係構造を提供できること、等の特徴を有する。
【００４２】
請求項７の発明は、請求項６に記載のヘッドレストステーの支持構造であって、
ステーに、係止用の凹凸、梨子地、又はスリットの滑落防止手段を設ける構成としたヘッドレストステーの支持構造である。
【００４３】
従って、請求項７は、前記［ハ］と［ニ］の意図を達成できること、この意図を達成するに最適な、［ル］  ステーの構造を提供できること、等の特徴を有する。
【００４４】
請求項８の発明は、請求項６に記載のヘッドレストステーの支持構造であって、
鞘管の周面壁に、複数のスリットを設ける構成としたヘッドレストステーの支持構造である。
【００４５】
従って、請求項８は、前記［ハ］と［ニ］の意図を達成できること、この意図を達成するに最適な、［オ］  鞘管の構造を提供できること、等の特徴を有する。
【図面の簡単な説明】
【００４６】
【図１】第一実施例の一例の要部を示し、かつステーの切欠き部を、係合片の内周面側でロック（この状態を、以下、ステーを係合片でロックオンとする）した一部欠截の平面図
【図２】第一実施例の一例において、操作ボタン、係合片、並びにスプリング（弾性体）との関係を示し、ステーを係合片でロックオンした平面模式図
【図３】図１に示した一例において、ステーの切欠き部から、係合片の内周面側をロックオフ（この状態を、以下、ステーを係合片でロックオフとする）した平面摸式図
【図４】図２に示した一例において、操作ボタン、係合片、並びにスプリング（弾性体）との関係を示し、ステーを係合片でロックオフした平面摸式図
【図５】第一実施例の他の一例において、操作ボタン、係合片、並びにスプリングとの関係を示し、ステーを係合片でロックオンした平面模式図
【図６】図５に示した他の一例において、操作ボタン、係合片、並びにスプリング（弾性体）との関係を示し、ステーを係合片でロックオフした平面摸式図
【図７−１】第一実施例の一例の全体を分解して示した（カバーに、操作ボタン、係合片、並びにスプリングを設けた）、ステーを係合片でロックオンした状態の仰視模式図
【図７−２】図７−１の要部を仰視した仰視模式図
【図８】第一実施例の一例の全体を分解して示した（フランジ部に、操作ボタン、係合片、並びにスプリングを設けた）、ステーを係合片でロックオフした状態の仰視模式図
【図９】第一実施例の他の一例の全体を分解して示した（フランジ部に、操作ボタン、係合片、並びにスプリングを設け、かつ突起をフランジ部に設けた）、ステーを係合片でロックオンした状態の仰視模式図
【図１０】第一実施例の他の一例の全体を分解して示した、ステーを係合片でロックオフした状態の仰視模式図
【図１１】第一実施例の他の一例の別の例の全体を分解して示した（フランジ部に、操作ボタン、係合片、並びにスプリングを設け、かつ突起をカバーに設けた）、ステーを係合片でロックオンした状態の仰視模式図
【図１２】第一実施例の他の一例の別の例の全体を分解して示した、ステーを係合片でロックオフした状態の仰視模式図
【図１３−１】第一実施例における操作ボタンと、係合片との自由端の他の一例を示した、ステーを係合片でロックオンした状態の平面模式図
【図１３−１−１】第一実施例における操作ボタンと、係合片との自由端の他の一例を示した、ステーを係合片でロックオフした状態の平面模式図
【図１３−２】第一実施例における操作ボタンと、係合片との自由端のまた他の一例を示した、ステーを係合片でロックオンした状態平面模式図
【図１３−２−１】第一実施例における操作ボタンと、係合片との自由端のまた他の一例を示した、ステーを係合片でロックオフした状態の平面模式図
【図１３−３】第一実施例における操作ボタンと、係合片との自由端のさらに他の一例を示した、ステーを係合片でロックオンした状態平面模式図
【図１３−３−１】第一実施例における操作ボタンと、係合片との自由端のさらに他の一例を示した、ステーを係合片でロックオフした状態の平面模式図
【図１３−４】第一実施例における操作ボタンと、係合片との自由端の更にまた他の一例を示した、ステーを係合片でロックオンした状態平面模式図
【図１３−４−１】第一実施例における操作ボタンと、係合片との自由端の更にまた他の一例を示した、ステーを係合片でロックオフした状態の平面模式図
【図１４−１】第一実施例におけるスプリングの他の一例を示した、ステーを係合片でロックオフした状態平面模式図
【図１４−１−１】第一実施例におけるスプリングのまた他の一例を示した、ステーを係合片でロックオフした状態平面模式図
【図１４−１−２】第一実施例におけるスプリングのさらに他の一例を示した、ステーを係合片でロックオフした状態平面模式図
【図１５】第一実施例におけるヘッドレストサポートのフランジ部と、操作ボタン、並びにカバーの連繋関係の一例を示した、ステーを係合片でロックオンした状態の要部の断面図
【図１６】第一実施例におけるヘッドレストサポートのフランジ部と、操作ボタン、並びにカバーの連繋関係の一例を示した、ステーを係合片でロックオフした状態の要部の断面図
【図１７】第一実施例におけるヘッドレストサポートのフランジ部と、操作ボタン、並びにカバーの連繋関係の他の一例を示した要部の断面図
【図１８】第一実施例におけるカバーとスプリングの連繋関係を示した要部の端面図
【図１９−１】第一実施例における操作ボタンとカバーの連繋関係の一例を示した要部の端面図
【図１９−２】第一実施例における操作ボタンとカバーの連繋関係の他の一例を示した要部の端面図
【図１９−３】第一実施例におけるヘッドレストサポートのフランジ部と、操作ボタン、並びにカバーの連繋関係の一例を示した要部の端面図
【図２０−１】第一実施例における係合片と突起の連繋関係の一例を示した要部の平面図
【図２０−２】第一実施例における係合片と突起の連繋関係の他の一例を示した要部の平面図
【図２１−１】第一実施例における操作ボタンと係合片の自由端の連繋関係の一例を示した要部の端面図
【図２１−２】第一実施例における操作ボタンと係合片の自由端の連繋関係の他の一例を示した要部の平面図
【図２２】第一実施例におけるカバーの誘導孔と、操作ボタンの連繋関係の他の一例を示した要部の端面図
【図２３】第二実施例の一例において、操作ボタン、係合片、並びにスプリングとの関係を示し、ステーを係合片でロックオンした平面模式図
【図２４】図２３に示した一例において、ステーを係合片でロックオフした平面摸式図
【図２５】第三実施例の一例において、操作ボタン、係合片、並びにスプリングとの関係を示し、ステーを係合片でロックオンした平面模式図
【図２６】図２５に示した一例において、ステーを係合片でロックオフした平面摸式図
【図２７】第三実施例におけるフランジ部に、操作ボタン、係合片、並びにカバーを設けた要部の拡大端面図
【図２８】第四実施例の一例の要部を示し、ステーを係合片でロックオンした平面図
【図２９】第四実施例の一例において、操作ボタン、係合片、並びにカム機構（弾性体）との関係を示し、ステーを係合片でロックオンした平面模式図
【図３０】図２８に示した一例において、ステーを係合片でロックオフした平面摸式図
【図３１】図３０に示した一例において、操作ボタン、係合片、並びにカム機構との関係を示し、ステーを係合片でロックオフした平面摸式図
【図３２】図２９に示した、操作ボタン、係合片、並びにカム機構との関係を、分解して示した拡大斜視図
【図３３】第五実施例の一例の要部を示し、ステーを鞘管とカバーでロックオンした断面図
【図３４】第五実施例の他の一例の要部を示し、ステーを鞘管とカバーでロックオンした断面図
【図３５−１】第五実施例におけるステーの他の一例を示した拡大側面図
【図３５−２】第五実施例におけるステーのまた他の一例を示した拡大側面図
【図３６】第六実施例の一例の要部を示し、カバーで、係合片とスプリングを操作するロックオンした平面摸式図
【図３７】第六実施例の一例の要部を示し、カバーで、係合片とスプリングを操作するロックオフした平面摸式図
【図３８】図３６の要部断面図
【図３９−１】第七実施例の一例の要部を示し、カバーとフランジ部との連繋（結合）関係を示した、連繋前の状態の拡大要部断面図
【図３９−２】第七実施例の一例の要部を示し、カバーとフランジ部との連繋関係を示した、連繋途中の状態の拡大要部断面図
【図３９−３】第七実施例の一例の要部を示し、カバーとフランジ部との連繋（結合）関係を示した拡大要部断面図
【図４０−１】第八実施例の一例の要部を示し、カバーとフランジ部との連繋（結合）関係を示した拡大要部断面図
【図４０−２】第八実施例の一例の要部を示し、カバーとフランジ部との連繋関係を示した拡大要部側面図
【図４１】第九実施例の一例の要部を示し、カバーとフランジ部との連繋関係を示した拡大要部断面図
【図４２】本発明におけるシートバックの表皮と、ヘッドレストサポートの取付け関係の一例を示した断面模式図
【図４３】図３９の要部の拡大端面図
【図４４】図３９の第一環状鍔片の一例を示した端面図
【図４５】図３９の第二環状鍔片の一例を示した端面図
【発明を実施するための形態】
【００４７】
以下、本発明の各実施例を図面に基いて説明する。尚、各実施例において共通する構成部品（部材）は、同じ名称と符号を使用する。また、第一実施例に示し各構成部品の各例は、他の各実施例に採用できる。従って、第一実施例において、詳細に説明する。
【００４８】
図１〜図２２に示した第一実施例において、１はヘッドレストサポート、このヘッドレストサポート１はシートバック（図示しない）に内装されたフレームに固止したヘッドレストサポート用のブラケット（図示しない）に挿入固止される。そして、このヘッドレストサポート１は、ステー挿入用の孔２ａを備えた筒体２を備え、かつこの筒体２の上部２ｂに設けたステー挿入用の孔３ａを備えたフランジ部３と、このフランジ部３に被嵌され、かつステー挿入用の孔４ａを備えたカバー４とで構成する。
【００４９】
このフランジ部３には、孔３ａの周辺の略２／３を囲繞するように立設したガイド突条３００を設けるとともに、後述する操作ボタン６の終端位置を確保する停止用突条３０１を設ける。このカイド突条３００の内周面は、ステーＢの外周面Ｂ１に添接される。そして、望ましくは、ガイド突条３００と停止用突条３０１を連設することで、その肉厚の薄さと、強度とを確保する。このフランジ部３には、後述する操作ボタン６と、係合片７、並びに弾性体、例えば、板状のスプリング８を内装したカバー４が被嵌支持されることで、この操作ボタン６と、係合片７、並びにスプリング８は、このフランジ部３とカバー４との間に形成されるチャンバーＡに収容される。この収容状態を、個々に説明する。先ず、図２のロックオンの状態（係合片７の内周面側７ａが、ステーＢの切欠き部Ｂ２に挿入されている状態）において、ガイド突条３００の停止用突起３０１には、僅かな隙間をもって、操作ボタン６の操作部６００が設けられ、かつこのガイド突条３００の自由端側３００ａには、係合片７の直線状の内周面側７ａが衝止される。このガイド突条３００の外周面には、係合片７の曲面形状の内周面側端部７ａ１が添接される。そして、スプリング８は、自由端側８ａが係合片７の外周面側７ｂに係止、かつ添接される。また、このスプリング８の基端側８ｂはカバー４の内周面側４ｂに係止されている。尚、この係合片７の自由端側７ｃは、操作ボタン６の自由端側６ａに、その基端側７ｄは、カバー４か、又はフランジ部３に設けた突起１０に、それぞれ係止されている。次に、図５のロックオンの状態において、ガイド突条３００の停止用突起３０１には、操作ボタン６の操作部６００が係止され、かつこのガイド突条３００の自由端側３００ａには、係合片７の直線状の内周面側７ａが、僅かな隙間をもって設けられる。そのたの構造は、前記図２に準ずる。
【００５０】
前記図２のロックオンの状態から、図４のロックオフの状態（係合片７の内周面側７ａが、ステーＢの切欠き部Ｂ２より離間されている状態）に移行するには、操作ボタン６を、カバー４の誘導孔４００に沿って移動することで、この操作ボタン６は、ガイド突条３００の外周面に沿って移動する。そして、この操作ボタン６の直線状の自由端側６ａが、係合片７の直線状の自由端側７ｃを、順次、押圧する。しかし、この係合片７の基端側７ｄが突起１０で規制されていることから、この係合片７は、基端側７ｄを基点として可動していくことで、この係合片７の内周面側７ａが、ステーＢの切欠き部Ｂ２より離間していく（外れていく）とともに、スプリング８は、カバー４の内周面側４ｂに向かって押圧される。この操作を介して、スプリング８の外周面８ｃが、このカバー４の内周面側４ｂに添接し、前記クリアランスＣはなくなる。このように、係合片７の内周面側７ａが、ステーＢの切欠き部Ｂ２より離間することで、ステーＢの昇降が自由となる。
【００５１】
そして、前記図５のロックオンの状態から、図６のロックオフの状態に移行するには、前記図２のロックオンの状態から、図４のロックオフの状態に準ずる。
【００５２】
前述した、操作ボタン６と、スプリング８、並びに係合片７と、突起１０を、チャンバーＡ内に設ける構造は、種々あるが、次のような構造が好ましい。例えば、図７−１と、図７−２、図８の例では、カバー４に、操作ボタン６と、スプリング８を可動可能に取付けるとともに、係合片７を可動可能に組付け、かつ突起１０をフランジ部３に立設した構造の一例である。この図７−１等がロックオンで、図８がロックオフを示している。また、図示しないが、この図７−１等、図８の他の例であり、突起１０をヘッドレストサポート１のフランジ部３に立設した構造も可能である。そして、この他の例において、その他は、この図７−１等、図８に準ずる。次に、図９〜図１２の例において、この図９、図１０は、ヘッドレストサポート１のフランジ部３に、操作ボタン６と、スプリング８を可動可能に取付けるとともに、係合片７を可動可能に組付け、かつ突起１０をフランジ部３に立設した構造の一例である。この図９がロックオンで、図１０がロックオフを示している。また、この図１１、図１２は、図９、図１０の他の例であり、突起１０をカバー４に垂設した構造の一例である。その他は、前記図９、図１０に準ずる。この図１１がロックオンで、図１２がロックオフを示している。尚、この操作ボタン６と、スプリング８、並びに係合片７と、突起１０を、チャンバーＡ内に設ける構造は、組付け、製造、又は機能等を考慮して、種々の構造を選択できる。
【００５３】
次に、図１３−１〜図１３−４−１において、操作ボタン６の自由端側６ａと、係合片７の自由端側７ｃの他の組合せを説明する。この図１３−１と図１３−１−１は、曲面状の自由端側６ａと、曲面状の自由端側７ｃとの組合せ構造であり、また、この図１３−２と図１３−２−１は、曲面状の自由端側６ａと、曲面状の自由端側７ｃとの重ね合せ組合せ構造であり、さらに、この図１３−３と図１３−３−１は、曲面状の自由端側６ａと、曲面状の自由端側７ｃとの切欠き組合せ構造であり、さらに、また、この図１３−４と図１３−４−１は、二股状の自由端側６ａと、曲面状の自由端側７ｃとの組合せ構造であり、それぞれ自由に選択できる。また、図示しないが、前述のそれぞれを、個別に組合せる構造も可能である。そして、前記図１３−３と図１３−３−１に示した切欠き組合せ構造と、図１３−４と図１３−４−１に示した、二股状の自由端側６ａと、曲面状の自由端側７ｃとの組合せ構造では、盲動防止と、確実な操作とが図れる特徴がある。尚、この自由端側６ａと、自由端側７ｃとの組合せ構造の確実性を図るために、図２１−１と、図２１−２のほぞ構造が望ましい。
【００５４】
続いて、第一実施例の他の構成部品の好ましい、各例を図示しながら説明する。
【００５５】
図１４−１と、図１４−１−１、図１４−１−２は、スプリング８の他の各実施例を示しており、係合片７の外周面側７ｂと、カバーの内周面側４ｂとの間に、捲装状のスプリング８を介設した構造であり、このスプリング８の捻りと、その反発を介して、この係合片７の可動と、復帰を図る構造である。尚、このスプリング８は、係合片７、及び／又は、スプリング８に設けた、凹みＤと、突起Ｄ１とを介して、原則として、一方側を支持することで、スプリング８の支持を図ることが望ましい。
【００５６】
図１７は、カバー４と、操作ボタン６、並びにフランジ部３との連繋関係を示した断面図であるが、カバー４の誘導孔４００の孔壁面と、操作部６００の壁面との間に、係合凸部１１と、係合凹部１２、並びにクリアランス１３の関係を介して、移動の容易化と、組込みの簡便化、並びに耐久性の向上等を図る。また、フランジ部３の外周辺には、カバー４の鍔片絞り部４０１が嵌合されることで、このカバー４の取付と、抜け防止が図れる。
【００５７】
図１８は、カバー４とスプリング８の連繋関係を示した要部において、カバー４の内周面側４ｂに対峙して設けた膨出部４０２ａを備えた挾持片４０２で、スプリング８の基端側８ｂを係止する構造である。また、図１９−１〜図１９−３における操作ボタン６とカバー４の連繋関係の一例を示した要部において、カバー４の内周面側４ｂに対峙して設けた膨出部４０３ａを備えた挾持片４０３で、操作ボタン６の本体部６０１を可動可能に支持する構造である。尚、この内周面側４ｂに膨出部４ｂ１を設けることもあり得る。また、図１９−３では、フランジ部３に凹部３０２ａを備えた対の挾持片３０２を設け、ここに、操作ボタン６の本体部６０１を可動可能に支持する構造である。そして、図２０−１と、図２０−２では、係合片７の基端側７ｄと突起１０の連繋関係の一例を示したものであり、この図２０−１では、係合片７の基端側７ｄで、フランジ部３に立設した突起１０を、抱持する構造を示し、また、この図２０−２では、係合片７の基端側７ｄを、カバー４より垂下した切り溝を備えた突起１０に、嵌合する構造を示している。
【００５８】
尚、図２２は、カバー４の誘導孔４００からの塵等の異物を排除するための傾斜部４００ａを示している。
【００５９】
図２３、図２４に示した第二実施例において、第一実施例との相違点を説明する。前記チャンバーＡ内に設けるスプリング８の構造が異なっている。このスプリング８の自由端側８ａを、カバー４の内周面側４ｂに添接し、その基端側８ｂを、突起１０に係止する構造であり、スプリング８に自由な可動と復帰を可能とすること、耐久性の向上等を特徴とする。
【００６０】
図２５〜図２７に示した第三実施例において、第一実施例等との相違点を説明する。前記操作ボタン６を、カバー４の孔４ａに装着し、かつこのカバー４の環状の内周面側４ｂに沿って拡縮するアクチュエータ構造とし、操作ボタン６の本体部６０１に膨出部６０２を形成し、この膨出部６０２を押圧することで、その自由端側６ａ、６ａが、係合片７を可動するとともに、後述するスプリング８を圧縮する構造である。また、この押圧解除で、膨出部６０２が復帰し、係合片７が後述するスプリング８の反発で復帰する構造である。以上のような働きをするスプリング８は、その内周面８ｄのセンタを、係合片７の外周面側７ｃに係止し、かつ、その自由端側８ａ、８ａを、カバー４の内周面側４ｂに添接する構造とする。図中１５は係合片７の始端、終端を規制するストッパーであり、必要によりスプリング８の自由端側８ａ、８ａを規制することもあり得る。
【００６１】
図２８〜図３２に示した第四実施例において、第一実施例等との相違点を説明する。前記操作ボタン６を、カム構造とした一例であり、操作ボタン６を第一誘導辺６０３、６０３とし、この第一誘導辺６０３、６０３の間に、対のカム板６０４、６０５を軸支し、このカム板６１０で、本体部６０１を可動する構造である。即ち、図２９のロックオンの状態から、図３１のロックオフの状態に移行するには、操作ボタン６を誘導孔４００に沿って移動することで、第一誘導辺６０３、６０３間に存在する対のカム板６０４、６０５が、この第一誘導辺６０３、６０３により押圧されて、時計方向に回転する。このカム板６０５が、分割された操作ボタン６の分割片６０１ａ、６０１ａを押圧し、この操作ボタン６を可動し、かつ係合片７を可動するとともに、スプリング８を圧縮する構造である。また、この押圧解除で、対のカム板６０４、６０５が反時計へ方向に復帰し、係合片７がスプリング８の反発で復帰する構造である。図中６０６は対のカム板６０４、６０５を軸支する軸であり、フランジ部３か、カバー４に立設される。また、図中６０７は、操作ボタン６の側面に設けた凸条で、この凸条６０７を挾持片４０３の内面側の凹条４０３ｂに係入する構造であり、操作ボタン６の正確な動きを確保する。
【００６２】
図３３〜図３５−２に示した第五実施例において、第一実施例等との相違点を説明する。この実施例は、無垢（切欠き部Ｂ２なし）のステーＢを、鞘管１８とカバー４でロックオン・オフする構造である。このステーＢには、鞘管１８を嵌合、又は遊嵌し、カバー４の押圧でロックオンし、このカバー４の押圧解除で、ロックオフする。そして、カバー４はスプリング８００で、常時、押下げるように付勢されている。図中１８００は鞘管１８に設けた楔で、この楔１８００に係合する楔受け片４０４をカバー４に設ける構造が望ましい。尚、ステーＢには、その外周面に、鞘管１８の内周面との摩擦抵抗を確保するために、梨子地、スリット、凹凸部１８０１等を形成することもあり得る。また、この鞘管１８に切条を設ける等して、縮径容易化を図る構造も採用できる。
【００６３】
図３６〜図３９に示した第六実施例において、第一実施例等との相違点を説明する。この実施例は、カバー４の一部に係合片７の基端側７ｄを連繋した構造であって、このカバー４を、シートバックＥの上面Ｅ１において（図４２参照）、水平方向Ｑに回転することで、係合片７を引き連れてロックオンし、このカバー４の回転解除で、ロックオフする。そして、このカバー４と係合片７の基端側７ｄとの連繋箇所１９に、スプリング８の基端部８ｂを係止し、その自由端側８ａを、カバー４の内周面側４ｂに添接する構造である。
【００６４】
また、図３９−１〜図４１は、カバー４とフランジ部３との連繋（結合）関係を示した各実施例であり、以下、順に説明する。図３９−１〜図３９−３は、第七実施例であり、カバー４の裾部４ｃの全周か、又は全周の数個に、分岐差込み爪４０５を設ける。この分岐差込み爪４０５は、差込み内外片４０５ａ、４０５ｂと、この差込み内外片４０５ａ、４０５ｂの間に撓み代ともなり得る挿入孔（溝）４０５ｃとで形成する。この溝は、全周に設けることを想定する（以下、同じ）。一方、フランジ部３の環状周辺部３ｂの全周か、又は全周の数個に、分岐受け爪３０３を設ける。この分岐受け爪３０３は、受け孔（溝）３０３ａと、この受け孔３０３ａの内方に膨出した撓み代を備えた分岐受け爪片３０３ｂとで形成する。従って、フランジ部３の上方より、カバー４を被嵌すると、このカバー４の差込み内片４０５ａが、分岐受け爪片３０３ｂの頂面外側に設けた傾斜面を滑りながら、かつ幾分拡開された（撓んだ）状態で、順次、被嵌されていき、また、差込み外片４０５ｂが拡開され、フランジ部３の環状周辺部３ｂの外側に位置する。この状態で、カバー４が被嵌されていくと、図３９−２の状態を経由し、図３９−３の如く、受け孔３０３ａに、復帰した差込み内片４０５ａが嵌合されるとともに、環状周辺部３ｂの外側に、復帰した差込み外片４０５ｂが位置する状態となり、かつフランジ部３にカバー４が被嵌される。そして、この分岐差込み爪４０５と、分岐受け爪３０３を、全周に設ける構造では、フランジ部３がカバー４で隠蔽されることで、美観が確保される。また、全周に数個設ける構造は、省資源化に有益と考えられる。尚、カバー４の取外しは、前述の逆の操作で、簡易かつ確実に行えるので、その説明は省略する。次に、図４０−１と、図４０−２においては、第八実施例であり、カバー４の裾部４ｃの全周か、又は全周の数個に、係止片４０６を設ける。この係止片４０６は、係止爪４０６ａと係止体４０６ｂとで形成する。一方、フランジ部３の環状周辺部３ｂの全周か、又は全周の数個に、係止受け片３０４を設ける。この係止受け片３０４は、係止受け孔３０４ａと係止帯３０４ｂとで形成する。従って、フランジ部３の上方より、カバー４を被嵌するととともに、その係止体４０６ｂを撓ませて、係止爪４０６とともに、フランジ部３の係止受け孔３０４ａに挿入する。そして、係止帯３０４ｂを、前記係止爪４０６が超えた段階で、この係止体４０６ｂに対する押圧を解除し、この係止爪４０６ａと、係止体４０６ｂの復帰を介して、係止爪４０６ａを係止帯３０４ｂの下端に係止することで、図示の如く、フランジ部３にカバー４が被嵌される。その他の構造と特徴は、前述の第七実施例等に準ずる。また、図４１においては、第九実施例であり、カバー４の裾部４ｃの全周か、又は全周の数個に、係止孔４０７を設ける。一方、フランジ部３の環状周辺部３ｂの全周か、又は全周の数個に、撓み代を備えた嘴形であって、かつ頂面に傾斜面を有する係止爪３０５を設ける。従って、カバー４を、フランジ部３の上方より被嵌すると、係止爪３０５がカバー４の裾部４ｃで押圧されることで、軸芯（中心）方向に撓み、この裾部４ｃ内に順次挿入されていく。そして、係止爪３０５が、係止孔４０７に達すると、この押圧状態が解除されて、復帰することで、この係止爪３０５が、係止孔４０７の内側壁面に係止される構造である。この係止状態で、図示の如く、フランジ部３にカバー４が被嵌される。その他の構造と特徴は、前述の第七、八実施例等に準ずる。
【００６５】
図４２〜図４５は、シートバックＥの表皮Ｆを、ヘッドレストサポート１の取付け関係の一例を示したものであり、本発明では、フランジ部３で表皮Ｆを押え込む面積が少なくなることを考慮し、この表皮Ｆを確実に支持するための構造である。即ち、フランジ部３の下側に、このフランジ部３と一体構造、又は別体に設けた第一環状鍔片２０と、第二環状鍔片２１とを介して、表皮Ｆを挾持することで、表皮Ｆからのヘッドレストサポート１の剥離防止を図る。そして、図４０の如く、第一環状鍔片２０と、第二環状鍔片２１に、噛合手段２２を設けることがさらに望ましい。図中２０００、２１００は、第一環状鍔片２０と、第二環状鍔片２１にそれぞれ設けたステー挿入用の孔を示す。
【符号の説明】
【００６６】
１            ヘッドレストサポート
２            筒体
２ａ          孔
２ｂ          上部
３            フランジ部
３ａ          孔
３ｂ          環状周辺部
３００        ガイド突条
３００ａ      自由端側
３０１        停止用突条
３０２        挾持片
３０２ａ      凹部
３０３        分岐受け爪
３０３ａ      受け孔
３０３ｂ      分岐受け爪片
３０４        係止受け片
３０４ａ      係止受け孔
３０４ｂ      係止帯
３０５        係止爪
４            カバー
４ａ          孔
４ｂ          内周面側
４ｃ          裾部
４ｂ１        膨出部
４００        誘導孔
４００ａ      傾斜部
４０１        鍔片絞り部
４０２        挾持片
４０２ａ      膨出部
４０３        挾持片
４０３ａ      膨出部
４０３ｂ      凹条
４０４        楔受け片
４０５        分岐差込み爪
４０５ａ      差込み内片
４０５ｂ      差込み外片
４０５ｃ      挿入孔
４０６        係止片
４０６ａ      係止爪
４０６ｂ      係止体
４０７        係止孔
６            操作ボタン
６ａ          自由端側
６００        操作部
６０１        本体部
６０１ａ      合割片
６０２        膨出部
６０３        第一誘導辺
６０４        カム板
６０５        カム板
６０６        軸
６０７        凸条
７            係合片
７ａ          内周面側
７ａ１        内周面側端部
７ｂ          外周面側
７ｃ          自由端側
７ｄ          基端側
８            スプリング
８ａ          自由端側
８ｂ          基端側
８ｃ          外周面
８ｄ          内周面
８００        スプリング
１０          突起
１１          係合凸部
１２          係合凹部
１３          クリアランス
１５          ストッパー
１８          鞘管
１８００      楔
１８０１      凹凸部
１９          連繋箇所
２０          第一環状鍔片
２０００      孔
２１          第二環状鍔片
２１００      孔
２２          噛合手段
Ａ            チャンバー
Ｂ            ステー
Ｂ１          外周面
Ｂ２          切欠き部
Ｃ            クリアランス
Ｄ            凹み
Ｄ１          突起
Ｅ            シートバック
Ｅ１          上面
Ｆ            表皮
Ｑ            水平方向
【図１】
0005518459.tif 000002
【図３】
0005518459.tif 000003
【図４】
0005518459.tif 000004
【図５】
0005518459.tif 000005
【図７−１】
0005518459.tif 000006
【図７−２】
0005518459.tif 000007
【図８】
0005518459.tif 000008
【図９】
0005518459.tif 000009
【図１０】
0005518459.tif 000010
【図１１】
0005518459.tif 000011
【図１２】
0005518459.tif 000012
【図１３−１】
0005518459.tif 000013
【図１３−１−１】
0005518459.tif 000014
【図１３−２】
0005518459.tif 000015
【図１３−２−１】
0005518459.tif 000016
【図１３−３】
0005518459.tif 000017
【図１３−３−１】
0005518459.tif 000018
【図１３−４】
0005518459.tif 000019
【図１３−４−１】
0005518459.tif 000020
【図１４−１】
0005518459.tif 000021
【図１４−１−１】
0005518459.tif 000022
【図１４−１−２】
0005518459.tif 000023
【図１５】
0005518459.tif 000024
【図１６】
0005518459.tif 000025
【図１７】
0005518459.tif 000026
【図１８】
0005518459.tif 000027
【図１９−１】
0005518459.tif 000028
【図１９−２】
0005518459.tif 000029
【図１９−３】
0005518459.tif 000030
【図２０−１】
0005518459.tif 000031
【図２０−２】
0005518459.tif 000032
【図２１−１】
0005518459.tif 000033
【図２１−２】
0005518459.tif 000034
【図２２】
0005518459.tif 000035
【図２３】
0005518459.tif 000036
【図２４】
0005518459.tif 000037
【図２５】
0005518459.tif 000038
【図２６】
0005518459.tif 000039
【図２７】
0005518459.tif 000040
【図２８】
0005518459.tif 000041
【図２９】
0005518459.tif 000042
【図３０】
0005518459.tif 000043
【図３１】
0005518459.tif 000044
【図３２】
0005518459.tif 000045
【図３３】
0005518459.tif 000046
【図３４】
0005518459.tif 000047
【図３５−１】
0005518459.tif 000048
【図３５−２】
0005518459.tif 000049
【図３６】
0005518459.tif 000050
【図３７】
0005518459.tif 000051
【図３８】
0005518459.tif 000052
【図３９−１】
0005518459.tif 000053
【図３９−２】
0005518459.tif 000054
【図３９−３】
0005518459.tif 000055
【図４０−１】
0005518459.tif 000056
【図４０−２】
0005518459.tif 000057
【図４１】
0005518459.tif 000058
【図４２】
0005518459.tif 000059
【図４３】
0005518459.tif 000060
【図４４】
0005518459.tif 000061
【図４５】
0005518459.tif 000062
【図２】
0005518459.tif 000063
【図６】
0005518459.tif 000064